(57)【要約】【課題】用紙の種類が異なる印刷物を提供する場合でも手間をかけずに印刷物を作製する。【解決手段】印刷物の提供先毎に、印刷物に印刷される印刷データを指定するための情報、並びに該印刷物の用紙の種類を示す情報を取得して管理するデータ取得部１１と、印刷物の提供先毎に、印刷物に印刷される印刷データを指定するための情報からなる個別印刷ファイルを編集する個別印刷ファイル編集部１２と、個別印刷ファイル編集部１２にて編集された個別印刷ファイルを、印刷物の用紙の種類を示す情報に基づいて印刷物の用紙の種類毎に分割し、印刷物の用紙の種類が同一のものを１つの印刷ジョブとして纏める冊子別印刷ファイル分割部１３及びプリンタ別印刷ファイル分割部１５と、印刷ジョブに応じた印刷データを、印刷ジョブにおける印刷物の用紙の種類に応じてプリンタ２０−１〜２０−４に振り分ける印刷データ振分部１６とを有する。【選択図】図１
2008152712.tif 000002
【特許請求の範囲】
【請求項１】
印刷データが印刷される用紙の種類に応じて前記印刷データを複数の印刷手段に振り分けて印刷物を作製する印刷物作製システムであって、
印刷物の提供先毎に、印刷物に印刷される印刷データを指定するための情報、並びに該印刷物の用紙の種類を示す情報を取得し、データベースとして管理するデータ取得手段と、
前記データベースを参照し、印刷物の提供先毎に、印刷物に印刷される印刷データを指定するための情報からなる個別印刷ファイルを編集する個別印刷ファイル編集手段と、
前記データベースを参照し、前記個別印刷ファイル編集手段にて編集された個別印刷ファイルを、前記印刷物の用紙の種類を示す情報に基づいて前記印刷物の用紙の種類毎に分割し、前記印刷物の用紙の種類が同一のものを１つの印刷ジョブとして纏める印刷ファイル分割手段と、
前記印刷ジョブに応じた印刷データを、前記印刷ジョブにおける前記印刷物の用紙の種類に応じて印刷手段に振り分ける印刷データ振分手段とを有する印刷物作製システム。
【発明の詳細な説明】
【技術分野】
【０００１】
本発明は、印刷物を作製する印刷物作製システムに関し、特に、用紙の種類やサイズが異なることにより印刷データを複数のプリンタに振り分けて印刷物を作製する印刷物作製システムに関する。
【背景技術】
【０００２】
近年、印刷システムの性能向上に伴い、いわゆるオンデマンド印刷と呼ばれる処理が可能となっており、それを用いて、複数の顧客に対してそれぞれ同一または異なる内容の印刷物を作製して配布することが行われるようになってきている。
【０００３】
例えば、個人を対象とした通信教育の教材について、通信教育の受講者毎のカリキュラムや進捗状況に合わせたテキストが作製され、配送されている。この場合、通信教育の受講者毎にテキストが作製されることになるが、その効率化を図るために、テキストに掲載される印刷データをデータベース化しておき、受講者毎のカリキュラムや進捗状況に基づいて、テキストに掲載される印刷データやそのレイアウト等を検索し、レイアウトに従って紙面上に印刷データを割り振り、印刷処理を行う技術が考えられている（例えば、特許文献１参照。）。
【特許文献１】特開２００２−４６３１４号公報
【発明の開示】
【発明が解決しようとする課題】
【０００４】
上述した通信教育の教材のような冊子においては、例えば、樹脂コーティングされたコート紙が表紙として用いられ、その表紙に複数枚の普通紙が綴じ合わされて１つの冊子とされる等というように、１つの冊子に材質が異なる用紙が用いられる場合がある。また、例えば通信教育の教材について言えば、問題冊子に用いられる用紙のサイズと解答冊子に用いられる用紙のサイズとが互いに異なり、これらサイズが異なる冊子を受講者毎に作製する場合もある。
【０００５】
ここで、一般に、印刷物をプリントアウトするプリンタにおいては、印刷物としてプリントアウトする用紙の材質やサイズといった種類が決められている。そのため、上述したように用紙の材質やサイズといった種類が異なる印刷物を作製する場合は、プリンタ毎に印刷データを準備しておく必要がある。
【０００６】
ところが、上述したオンデマンド印刷においては、複数の顧客毎に印刷データが作製、管理されているため、複数の顧客毎に用紙の種類が異なる印刷物を作製する場合、用紙の種類毎に顧客毎の印刷データを作製しておかなければならず、そのための手間がかかってしまうという問題点がある。例えば、上述したような通信教育の教材においては、受講者毎に印刷データが管理されているため、この印刷データを用紙の種類毎に組み直さなければならない。
【０００７】
本発明は、上述したような従来の技術が有する問題点に鑑みてなされたものであって、用紙の種類が異なる印刷物を提供する場合であっても手間をかけずに印刷物を作製することができる印刷物作製システムを提供することを目的とする。
【課題を解決するための手段】
【０００８】
上記目的を達成するために本発明は、
印刷データが印刷される用紙の種類に応じて前記印刷データを複数の印刷手段に振り分けて印刷物を作製する印刷物作製システムであって、
印刷物の提供先毎に、印刷物に印刷される印刷データを指定するための情報、並びに該印刷物の用紙の種類を示す情報を取得し、データベースとして管理するデータ取得手段と、
前記データベースを参照し、印刷物の提供先毎に、印刷物に印刷される印刷データを指定するための情報からなる個別印刷ファイルを編集する個別印刷ファイル編集手段と、
前記データベースを参照し、前記個別印刷ファイル編集手段にて編集された個別印刷ファイルを、前記印刷物の用紙の種類を示す情報に基づいて前記印刷物の用紙の種類毎に分割し、前記印刷物の用紙の種類が同一のものを１つの印刷ジョブとして纏める印刷ファイル分割手段と、
前記印刷ジョブに応じた印刷データを、前記印刷ジョブにおける前記印刷物の用紙の種類に応じて印刷手段に振り分ける印刷データ振分手段とを有する。
【０００９】
上記のように構成された本発明においては、印刷物の提供先毎に、印刷物に印刷される印刷データを指定するための情報、並びに印刷物の用紙の種類を示す情報がデータ取得手段にて取得されると、これらの情報がデータベースとして管理される。そして、個別印刷ファイル編集手段において、データベースが参照され、印刷物の提供先毎に、印刷物に印刷される印刷データを指定するための情報からなる個別印刷ファイルが編集される。個別印刷ファイル編集手段にて編集された個別印刷ファイルは、印刷ファイル分割手段において、印刷物の用紙の種類を示す情報に基づいて印刷物の用紙の種類毎に分割され、印刷物の用紙の種類が同一のものが１つの印刷ジョブとして纏められる。その後、印刷データ振分手段において、印刷ジョブに応じた印刷データが、印刷ジョブにおける印刷物の用紙の種類に応じて印刷手段に振り分けられ、印刷手段において振り分けられた印刷データを用いて印刷物が作製される。
【００１０】
このように、印刷物の提供先毎に、印刷物に印刷される印刷データを指定するための情報、並びに印刷物の用紙の種類を示す情報が取得されるだけで、印刷物の用紙の種類が同一である印刷ファイルが１つの印刷ジョブとして纏められ、その印刷ジョブに応じた印刷データが、印刷ジョブにおける印刷物の用紙の種類に応じて印刷手段に振り分けられるので、用紙の種類が異なる印刷物が手間をかけずに作製される。
【発明の効果】
【００１１】
以上説明したように本発明においては、印刷物の提供先毎に、印刷物に印刷される印刷データを指定するための情報、並びに印刷物の用紙の種類を示す情報が取得されるだけで、印刷物の用紙の種類が同一である印刷ファイルが１つの印刷ジョブとして纏められ、その印刷ジョブに応じた印刷データが、印刷ジョブにおける印刷物の用紙の種類に応じて印刷手段に振り分けられる構成としたため、用紙の種類が異なる印刷物を提供する場合であっても手間をかけずに印刷物を作製することができる。
【発明を実施するための最良の形態】
【００１２】
以下に、本発明の実施の形態について図面を参照して説明する。
【００１３】
図１は、本発明の印刷物作製システムの実施の一形態を示す図であり、通信教育の教材を作製するためのシステムである。
【００１４】
本形態は図１に示すように、それぞれが予め決められた材質及びサイズの用紙を用いて印刷物となる教材を構成する教材紙面を印刷する印刷手段であるプリンタ２０−１〜２０−４と、個人データ１、教材指定データ２、印字内容指定データ３及び用紙データ４を取得し、これらのデータに基づいてプリンタ２０−１〜２０−４における教材紙面の印刷ジョブを制御し、教材情報データベース５に登録された印刷データのうち印刷ジョブに応じた印刷データをプリンタ２０−１〜２０−４に振り分ける印刷ジョブ制御サーバ１０と、プリンタ２０−１〜２０−４にて印刷された教材紙面を製本して教材を作製するとともに、その際に照合データ６−１〜６−３を用いて教材紙面の組み合わせ及びその順序を照合する製本機３０−１〜３０−３とから構成されている。なお、本形態においては、４つのプリンタ２０−１〜２０−４及び３つの製本機３０−１〜３０−３が設けられ、プリンタ２０−１，２０−２にて印刷された教材紙面が製本機３０−１で製本され、プリンタ２０−３，２０−４にて作製された教材紙面が製本機３０−２，３０−３でそれぞれ製本されているが、その数は、通信教育の教材として受講者に送付される冊子の数、並びに、１つの冊子に含まれる異なる種類やサイズの用紙の数によって適宜設定される。また、本発明においては、印刷データが印刷される教材紙面の材質とサイズを含めて教材紙面の種類と称する。
【００１５】
印刷ジョブ制御サーバ１０は、データ取得部１１と、個別印刷ファイル編集部１２と、シート組立部１４と、印刷ファイル分割手段である冊子別印刷ファイル分割部１３及びプリンタ別印刷ファイル分割部１５と、印刷データ振分部１６とから構成されている。
【００１６】
データ取得部１１は、個人データ１、教材指定データ２、印字内容指定データ３及び用紙データ４を取得し、これらを個人情報データベース１ａ、教材指定情報データベース２ａ、印字内容指定情報データベース３ａ及び用紙情報データベース４ａとしてそれぞれ管理する。
【００１７】
個別印刷ファイル編集部１２は、教材指定情報データベース２ａを参照し、教材の提供先となる通信教育の受講者毎に教材を作製するための個別印刷ファイルを編集する。
【００１８】
冊子別印刷ファイル分割部１３は、印字内容指定情報データベース３ａを参照し、個別印刷ファイル編集部１２にて編集された個別印刷ファイルを教材の冊子単位に分割して冊子毎に１つの印刷ファイルとして纏める。
【００１９】
シート組立部１４は、印字内容指定情報データベース３ａを参照し、冊子別印刷ファイル分割部１３にて冊子単位に分割された個別印刷ファイルのそれぞれについて、その個別印刷ファイルに基づいて実際に教材紙面を印刷した場合のシート毎の面付けを行い、シート毎の印刷ファイルを管理する。また、シート毎に識別情報をバーコード情報として付与する。
【００２０】
プリンタ別印刷ファイル分割部１５は、用紙情報データベース４ａを参照し、シート組立部１４にてシート毎に管理された印刷ファイルを、印刷ファイルを用いて教材紙面を印刷するプリンタ２０−１〜２０−４単位に分割してプリンタ２０−１〜２０−４毎に１つの印刷ジョブとして纏める。
【００２１】
印刷データ振分部１６は、プリンタ別印刷ファイル分割部１５にて纏められた印刷ジョブに応じた印刷データを教材情報データベース５から取り出し、取り出した印刷データを、印刷ジョブにおける教材に用いる用紙の種類である材質及びサイズに応じてプリンタ２０−１〜２０−４に振り分ける。
【００２２】
以下に、上記のように構成された印刷物作製システムにおける教材の作製方法について説明する。
【００２３】
図２は、図１に示した印刷物作製システムにおける教材の作製方法を説明するためのフローチャートである。
【００２４】
まず、個人データ１、教材指定データ２、印字内容指定データ３及び用紙データ４がデータ取得部１１にて取得されると、これらのデータが個人情報データベース１ａ、教材指定情報データベース２ａ、印字内容指定情報データベース３ａ及び用紙情報データベース４ａとしてそれぞれ管理される（ステップＳ１）。
【００２５】
図３は、図１に示したデータ取得部１１にて管理されるデータベースの構成を示す図であり、（ａ）は個人情報データベース１ａの構成を示す図、（ｂ）は教材指定情報データベース２ａの構成を示す図、（ｃ）は印字内容指定情報データベース３ａの構成を示す図、（ｄ）は用紙情報データベース４ａの構成を示す図である。
【００２６】
データ取得部１１にて個人データ１が取得されると、取得された個人データ１は図３（ａ）に示すように、通信教育の受講者の氏名と、この受講者に予め付与された受講者ＩＤと、受講者の住所とから構成された個人情報データベース１ａとして管理される。このような個人情報データベース１ａとして構成される個人データ１は、通信教育を行っている教育機関から提供され、データ取得部１１にて取得される。
【００２７】
また、データ取得部１１にて教材指定データ２が取得されると、取得された教材指定データ２は図３（ｂ）に示すように、通信教育の受講者の受講者ＩＤと、受講者に提供する教材を構成する教材紙面に印刷される内容を指定するための情報とから構成された教材指定情報データベース２ａとして管理される。なお、教材紙面に印刷される内容を指定するための情報とは、受講者にどの問題の印刷データを提供するかまたその問題に対応する解答欄を印刷するための印刷データを提供するかを示すものであり、教材情報データベース５に登録された印刷データを識別可能なコンテンツＩＤに対して、受講者毎に教材紙面に印刷される印刷データのコンテンツＩＤが選択されている。このように受講者毎に提供する印刷データを設定することにより、通信教育の受講者毎のカリキュラムや進捗状況に合わせた教材を作製することができる。このような教材指定情報データベース２ａとして構成される教材指定データ２についても、通信教育を行っている教育機関から提供され、データ取得部１１にて取得される。
【００２８】
また、データ取得部１１にて印字内容指定データ３が取得されると、取得された印字内容指定データ３は図３（ｃ）に示すように、図３（ｂ）に示したコンテンツＩＤのそれぞれについて、そのコンテンツＩＤによって識別される印刷データの教科名、問題あるいは解答といった種別、その印刷データが印刷された教材紙面が綴じられる冊子を示す冊子ＩＤ、さらに、その印刷データの教材紙面上での１ページにおける占有割合が含まれた印字内容情報データベース３ａとして管理される。例えば、冊子ＩＤが“Ｓ００１”の冊子は、国語の問題１〜５のうち受講者に応じた問題が掲載される国語の問題冊子であり、問題１〜５については、問題１〜３は１ページに渡ってそれぞれ掲載され、問題４，５は半ページにそれぞれ掲載されるものである。このような印字内容指定情報データベース３ａとして構成される印字内容指定データ３についても、通信教育を行っている教育機関から提供され、データ取得部１１にて取得される。そのため、教材情報データベース５についても、通信教育を行っている教育機関から提供された印刷データ及びそれに付与されたコンテンツＩＤを用いて構築されている。
【００２９】
また、データ取得部１１にて用紙データ４が取得されると、取得された用紙データ４は図３（ｄ）に示すように、作製される冊子毎に、その冊子を構成する教材紙面の用紙の種類となる材質とサイズ、さらには、その冊子に表紙が存在するかどうかを示す情報から構成された用紙情報データベース４ａとして管理される。さらに、図示はしていないが、表紙が存在する場合、その表紙の種類を示す情報が含まれている。
【００３０】
次に、個別印刷ファイル編集部１２において、教材指定情報データベース２ａが参照され、通信教育の受講者毎に、教材を作製するための個別印刷ファイルが編集される（ステップＳ２）。
【００３１】
図４は、図１に示した個別印刷ファイル編集部１２にて編集される個別印刷ファイルの構成を示す図である。
【００３２】
個別印刷ファイル編集部１２にて編集される個別印刷ファイルは図４に示すように、通信教育の受講者の受講者ＩＤと、その受講者に提供される教材を構成する教材紙面に印刷される印刷データを示すコンテンツＩＤとから構成されている。すなわち、個別印刷ファイル編集部１２にて編集される個別印刷ファイルは、通信教育の受講者毎に、教材情報データベース５に登録された印刷データのうちどの印刷データが教材紙面に印刷されるかを示すものである。
【００３３】
次に、冊子別印刷ファイル分割部１３において、印字内容情報データベース３ａが参照され、個別印刷ファイル編集部１２にて編集された個別印刷ファイルが教材の冊子単位に分割されて冊子毎に１つの印刷ファイルとして纏められる（ステップＳ３）。
【００３４】
図５は、図１に示した冊子別印刷ファイル分割部１３にて冊子単位に分割された個別印刷ファイルの構成を示す図である。
【００３５】
冊子別印刷ファイル分割部１３においては、まず、印字内容情報データベース３ａが参照され、図４に示した受講者ＩＤ毎に、コンテンツＩＤによって指定される印刷データが印刷される冊子ＩＤが認識される。そして、図５に示すように、印字内容情報データベース３ａにおいて同一の冊子ＩＤに対応づけられたコンテンツＩＤが１つの印刷ファイルとして纏められる。
【００３６】
例えば、図４に示した個別印刷ファイルを参照すると、受講者ＩＤ“Ｊ０００１”の受講者に対しては、コンテンツＩＤ“ＫＭ００１”，“ＫＫ００１”，“ＫＭ００３”，“ＫＫ００３”，“ＫＭ００４”，“ＫＫ００４”，“ＫＭ００５”，“ＫＫ００５”，“ＳＭ００１”，“ＳＫ００１”，・・・によって指定される印刷データが印刷された教材紙面を有する冊子が提供されることになるが、図３（ｃ）に示した印字内容情報データベース３ａを参照すると、そのうち、コンテンツＩＤ“ＫＭ００１”，“ＫＭ００３”，“ＫＭ００４”，“ＫＭ００５”によって指定される印刷データのみが、冊子ＩＤ“Ｓ００１”によって指定される冊子を構成する教材紙面に印刷されることになる。そのため、冊子ＩＤ“Ｓ００１”によって指定される冊子に対して、受講者ＩＤ“Ｊ０００１”の受講者について、コンテンツＩＤ“ＫＭ００１”，“ＫＭ００３”，“ＫＭ００４”，“ＫＭ００５”が１つの印刷ファイルとして纏められることになる。
【００３７】
次に、シート組立部１４において、印字内容情報データベース３ａが参照され、冊子別印刷ファイル分割部１３にて冊子単位に分割された印刷ファイルのそれぞれについて、その印刷ファイルに基づいて実際に教材紙面を印刷した場合のシート毎の面付けが行われる（ステップＳ４）。
【００３８】
図６は、図１に示したシート組立部１４におけるシートの組立処理のイメージを示す図である。
【００３９】
シート組立部１４においては、印字内容指示情報データベース３ａが参照され、印刷データの教材紙面上での１ページにおける占有割合に基づいて、図５に示した印刷ファイルについて、受講者の冊子毎に印字データの面付けが行われる。例えば、図３（ｃ）に示した印字内容指示情報データベース３ａにおいては、コンテンツＩＤ“ＫＭ００１”の占有割合が“１”、コンテンツＩＤ“ＫＭ００３”の占有割合が“１”、コンテンツＩＤ“ＫＭ００４”の占有割合が“１／２”、コンテンツＩＤ“ＫＭ００５”の占有割合が“１／２”となっているため、受講者ＩＤが“Ｊ０００１”の受講者に提供される冊子ＩＤ“Ｓ００１”の冊子については、図６（ａ）に示したように一方の面において、コンテンツＩＤ“ＫＭ００３”によって指定される印刷データが１ページに渡って配置され、コンテンツＩＤ“ＫＭ００４”，“ＫＭ００５”によって指定される印刷データが半ページずつに配置され、図６（ｂ）に示したように他方の面において、コンテンツＩＤ“ＫＭ００１”によって指定される印刷データが１ページに渡って配置され、それぞれが面付けされることになる。
【００４０】
また、シート組立部１４においては、このように組み立てられたシート毎にシートＩＤが付与される。
【００４１】
図７は、図１に示したシート組立部１４にて組み立てられたシートを管理するためのデータを示す図である。
【００４２】
シート組立部１４においては、上述したようにシートが組み立てられると、組み立てられたシート毎にシートＩＤが付与されて管理される。例えば、上述したように、コンテンツＩＤ“ＫＭ００１”，“ＫＭ００３”，“ＫＭ００４”，“ＫＭ００５”によって指定される印刷データは１枚のシートに含まれるため、図７に示すように、これらのコンテンツＩＤに１枚のシートを示すシートＩＤ“ＳＨ００１”が付与される。このシートＩＤは冊子毎に管理されている。すなわち、１つの冊子が複数のシートから構成される場合は、１つの冊子ＩＤに複数のシートＩＤが対応づけられている。また、用紙情報データベース４ａが参照され、冊子毎に表紙が存在する場合は、その表紙にもシートＩＤが付与される。例えば、図７に示したものにおいては、冊子ＩＤ“Ｓ００１”の冊子に表紙が存在するため、その表紙にシートＩＤ“ＳＹ０００”が付与され、さらにその表紙に印刷される印刷データを指定するためのコンテンツＩＤ“Ｈ００１”が対応づけられている。
【００４３】
このように付与されたシートＩＤは、一人の受講者に提供される１つの冊子が複数のシートからなる場合、その複数のシートにシリアルに付与されることになる。
【００４４】
次に、プリンタ別印刷ファイル分割部１５において、用紙情報データベース４ａが参照され、シート組立部１４にてシート毎に面付けされた印刷ファイルが、この印刷ファイルを用いて教材紙面を印刷するプリンタ２０−１〜２０−４単位に分割されてプリンタ２０−１〜２０−４毎に１つの印刷ジョブとして纏められる（ステップＳ５）。
【００４５】
図８は、図１に示したプリンタ別印刷ファイル分割部１５にてプリンタ２０−１〜２０−４毎に纏められた印刷ジョブを示す図である。
【００４６】
プリンタ別印刷ファイル分割部１５においては、用紙情報データベース４ａが参照され、図７に示した印刷ファイルについて、冊子ＩＤによって指定される冊子を構成する教材紙面の材質やサイズが認識され、さらにはその冊子に付与される表紙の種類が認識され、その材質やサイズが同一であるものが１つの印刷ジョブとして纏められる。例えば、図７に示した印刷ファイルのうち冊子ＩＤ“Ｓ００１”と冊子ＩＤ“Ｓ００３”によって指定される冊子においては、図３（ｄ）に示した用紙情報データベース４ａを参照すると、同一の材質及びサイズであるため、図８に示すように、これらを構成するシートＩＤ“ＳＨ００１”，“ＳＨ１０１”，“ＳＨ２０１”のシートへの印刷ジョブはプリンタＩＤ“Ｐ００１”によって識別されるプリンタへの印刷ジョブとして１つに纏められることになる。なお、プリンタ別印刷ファイル分割部１５においては、教材紙面の材質やサイズに応じて印刷可能なプリンタが予め設定されており、そのプリンタを示すプリンタＩＤと教材紙面の材質やサイズとが対応づけて管理されている。
【００４７】
次に、印刷データ振分部１６において、教材情報データベース５が参照され、プリンタ別印刷ファイル分割部１５にてプリンタ２０−１〜２０−４毎に纏められた印刷ジョブ毎に、コンテンツＩＤによって指定される印刷データが教材情報データベース５から取り出され、取り出された印刷データが、プリンタＩＤによって指定されるプリンタ２０−１〜２０−４に振り分けられる（ステップＳ６）。またこの際、プリンタ別印刷ファイル分割部１５にてプリンタ２０−１〜２０−４毎に纏められた印刷ジョブによって印刷される教材紙面のシートＩＤが、プリンタ２０−１〜２０−４にて印刷された教材紙面が製本される製本機３０−１〜３０−３に応じて照合データ６−１〜６−３として与えられる。それにより、照合データ６−１〜６−３においては、一人の受講者に提供される１つの冊子が複数のシートからなる場合、その複数のシートにシリアルに付与されたシートＩＤが管理されることになる。
【００４８】
印刷データ振分部１６にて印刷データが振り分けられたプリンタ２０−１〜２０−４においては、振り分けられた印刷データが教材紙面に印刷される（ステップＳ７）。この際、シート組立部１４においてシート毎に付与されたシートＩＤが教材紙面にバーコード情報として印刷される。
【００４９】
その後、プリンタ２０−１〜２０−４にて印刷された教材紙面は製本機３０−１〜３０−３にそれぞれ送られ、冊子毎に製本されて教材が作製される（ステップＳ８）。製本機３０−１〜３０−３においては、冊子毎に、プリンタ２０−１〜２０−４にて印刷された教材紙面の組み合わせが印刷ジョブ制御サーバ１０から予め与えられており、シートＩＤを用いて管理されている。そのため、教材紙面に印刷されたバーコード情報が読み取られ、読み取られたバーコード情報に基づいて、教材紙面の組み合わせが判断され、製本されることになる。また、この際、読み取られたバーコード情報が照合データ６−１〜６−３と照合される。照合データ６−１〜６−３においては、一人の受講者に提供される１つの冊子が複数のシートからなる場合、その複数のシートにシリアルに付与されたシートＩＤが管理されているため、このシートＩＤと教材紙面から読み取られたバーコード情報とを照合することにより、１つの冊子における教材紙面の組み合わせ及びその順序を照合することができる。
【００５０】
なお、本形態においては、複数の教材紙面が綴じ合わされてなる冊子を作製するために、印刷ファイル分割手段を、個別印刷ファイル編集部１２にて編集された個別印刷ファイルを教材の冊子単位に分割して冊子毎に１つの印刷ファイルとして纏める冊子別印刷ファイル分割部１３と、シート組立部１４にてシート毎に管理された印刷ファイルを、印刷ファイルを用いて教材紙面を印刷するプリンタ２０−１〜２０−４単位に分割してプリンタ２０−１〜２０−４毎に１つの印刷ジョブとして纏めるプリンタ別印刷ファイル分割部１５とから構成しているが、用紙の材質やサイズが異なることにより印刷データを複数のプリンタに振り分けて印刷物を作製するだけの場合、すなわち、冊子を構成するものではない場合、１つの印刷ファイル分割手段を設けるだけでよい。
【００５１】
また、本形態においては、通信教育の教材を作製するためのシステムを例に挙げて説明したが、本発明はこれに限らず、用紙の材質やサイズが異なることにより印刷データを複数のプリンタに振り分けて印刷物を作製するものであれば適用できる。
【図面の簡単な説明】
【００５２】
【図１】本発明の印刷物作製システムの実施の一形態を示す図である。
【図２】図１に示した印刷物作製システムにおける教材の作製方法を説明するためのフローチャートである。
【図３】図１に示したデータ取得部にて管理されるデータベースの構成を示す図であり、（ａ）は個人情報データベースの構成を示す図、（ｂ）は教材指定情報データベースの構成を示す図、（ｃ）は印字内容指定情報データベースの構成を示す図、（ｄ）は用紙情報データベースの構成を示す図である。
【図４】図１に示した個別印刷ファイル編集部にて編集される個別印刷ファイルの構成を示す図である。
【図５】図１に示した冊子別印刷ファイル分割部にて冊子単位に分割された個別印刷ファイルの構成を示す図である。
【図６】図１に示したシート組立部におけるシートの組立処理のイメージを示す図である。
【図７】図１に示したシート組立部にて組み立てられたシートを管理するためのデータを示す図である。
【図８】図１に示したプリンタ別印刷ファイル分割部にてプリンタ毎に纏められた印刷ジョブを示す図である。
【符号の説明】
【００５３】
１    個人データ
１ａ    個人情報データベース
２    教材指定データ
２ａ    教材指定情報データベース
３    印字内容指定データ
３ａ    印字内容指定情報データベース
４    用紙データ
４ａ    用紙情報データベース
５    教材印刷データベース
６−１〜６−３    照合データ
１０    印刷ジョブ制御サーバ
１１    データ取得部
１２    個別印刷ファイル編集部
１３    冊子別印刷ファイル分割部
１４    シート組立部
１５    プリンタ別印刷ファイル分割部
１６    印刷ファイル振分部
２０−１〜２０−４    プリンタ
３０−１〜３０−３    製本機
【図１】
2008152712.tif 000003
【図２】
2008152712.tif 000004
【図３】
2008152712.tif 000005
【図４】
2008152712.tif 000006
【図５】
2008152712.tif 000007
【図６】
2008152712.tif 000008
【図７】
2008152712.tif 000009
【図８】
2008152712.tif 000010